(57)【要約】【課題】スチームの発生終了後において、不用意に吐出口に身体を近づけた場合でも熱さを感じず、違和感も無いスチーマーを提供する。【解決手段】スチームを発生するスチーム発生装置４と、スチーム発生装置４により発生したスチームを微細化する微細装置６と、スチーム発生装置４を停止した後も、所定の時間、微細装置６によりスチームを微細化するよう駆動制御する制御部８と、を備えて構成する。【選択図】図１
2008298340.tif 000002
【特許請求の範囲】
【請求項１】
スチームを発生するスチーム発生装置と、
前記スチーム発生装置により発生したスチームを微細化する微細装置と、
前記スチーム発生装置を停止した後も、所定の時間、前記微細装置によりスチームを微細化するよう駆動制御する制御手段と、
を有することを特徴とするスチーマー。
【請求項２】
ミストを発生するミスト発生装置を有し、
前記制御手段は、前記スチーム発生装置を停止した後も、所定の時間、前記微細装置によりスチームを微細化させると共に、前記ミスト発生装置からミストを発生するよう駆動制御することを特徴とする請求項１に記載のスチーマー。
【発明の詳細な説明】
【技術分野】
【０００１】
本発明はスチームを発生するスチーマーに係り、特に、スチームの発生終了後において、不用意に吐出口に身体を近づけた場合でも熱さを感じず、違和感も無いスチーマーに関する。
【背景技術】
【０００２】
ヘアケアや肌の手入れに際してスチームを用いることが従来より行われており、また近年では、スチームの粒子径を小さくして毛髪や肌へのスチームの浸透をよりよくするため、放電機構による放電電極間の放電にスチームを晒すことでスチームの微細化を行うものが提供されている。
【０００３】
例えば、実用新案登録第３１０２８６２号公報には、「美顔用スチーマ」として、水を貯水する貯水容器と、貯水容器内の水を加熱気化させるヒータと、貯水容器に着脱可能に装着される蓋体と、貯水容器からスチーム放出用ノズルまでの間に延長したスチーム経路と、スチーム経路に設置されたスチームを微細化するための高圧放電装置とを備え、貯水容器または／およびスチーム経路または／およびスチーム放出用ノズルに、多元素鉱物のパウダーが織り込みまたはコーティングによって含有されている構造のものが提案されている。
【特許文献１】実用新案登録第３１０２８６２号公報
【発明の開示】
【発明が解決しようとする課題】
【０００４】
しかしながら、上述した従来技術においては、スチーム発生装置、並びにスチームを微細化する微細装置の駆動制御が同一タイミングで行われていたため、スチームの発生終了時において、スチーム発生装置停止後もボイラー槽の余熱によりスチームが少量吐出されることがある。スチームは目視確認がし難いことから、不用意に吐出口に身体を近づけた場合には熱さを感じ、運転停止の操作後にもスチームが吐出されているという違和感をおぼえるという事情があった。
【０００５】
本発明は、上記従来の事情に鑑みてなされたものであって、スチームの発生終了後において、不用意に吐出口に身体を近づけた場合でも熱さを感じず、違和感も無いスチーマーを提供することを目的としている。
【課題を解決するための手段】
【０００６】
上記目的を達成するために、本発明に係るスチーマーは、スチームを発生するスチーム発生装置と、前記スチーム発生装置により発生したスチームを微細化する微細装置と、前記スチーム発生装置を停止した後も、所定の時間、前記微細装置によりスチームを微細化するよう駆動制御する制御手段と、を備えることを第１の特徴とする。
【０００７】
また、本発明に係るスチーマーは、ミストを発生するミスト発生装置を備え、前記制御手段は、前記スチーム発生装置を停止した後も、所定の時間、前記微細装置によりスチームを微細化させると共に、前記ミスト発生装置からミストを発生するよう駆動制御することを第２の特徴とする。
【発明の効果】
【０００８】
本発明に係る第１の特徴のスチーマーでは、制御手段により、スチーム発生装置と、スチーム発生装置により発生したスチームを微細化する微細装置とを別々に制御することとし、スチーム発生装置を停止した後も、所定時間の間は、微細装置によりスチームを微細化するよう駆動制御するので、スチーム発生装置停止後にボイラー槽の余熱により吐出された少量のスチームを微細化（白化）して可視化でき、使用者にスチームの吐出を意識付けることができることから、使用者が不用意に吐出口に身体を近づけることを回避できる。
【０００９】
また、本発明に係る第２の特徴のスチーマーでは、制御手段により、スチーム発生装置と、スチーム発生装置により発生したスチームを微細化する微細装置と、ミスト発生装置とを別々に制御することとし、スチーム発生装置を停止した後も、所定時間の間は、微細装置によりスチームを微細化させると共に、ミスト発生装置からミストを発生するよう駆動制御するので、スチーム発生装置停止後にボイラー槽の余熱により吐出された少量のスチームを微細化（白化）して可視化でき、使用者にスチームの吐出を意識付けることができることから、使用者が不用意に吐出口に身体を近づけることを回避できる。また、スチームにミストを混ぜることで吐出されるスチームの温度が下がるので、万が一使用者が不用意に吐出口に身体を近づけたとしても熱さを感じることを回避できる。
【発明を実施するための最良の形態】
【００１０】
以下、本発明のスチーマーの実施例について、〔実施例１〕、〔実施例２〕の順に図面を参照して詳細に説明する。
【００１１】
〔実施例１〕
図１は本発明の実施例１に係るスチーマーの構成図である。同図において、本実施例のスチーマーは、装置本体１に、スチーム発生装置４に水を供給するタンク９と、スチームを発生するスチーム発生装置４と、スチーム発生装置４により発生したスチームを微細化する微細装置６と、当該スチーマーから微細化したスチーム７を吐出する吐出口５と、スチーム発生装置４および微細装置６をそれぞれ制御信号３１および３２により別々に制御する制御部８と、を備えて構成されている。
【００１２】
スチーム発生装置４は、ＰＴＣヒータ２を備えたボイラー槽３から成り、タンク９から供給された水をＰＴＣヒータ２により加熱してスチームを発生する。
【００１３】
また、微細装置６は、スチーム発生装置４の吐出口５側に配置され、放電回路６ａおよび放電電極６ｂを備えて、スチーム発生装置４により発生したスチームを微細化する。
【００１４】
次に、以上の構成を備えた本実施例のスチーマーの動作について、図２を参照して説明する。ここで、図２（ａ）は生成されるスチーム量の時間的推移を説明するタイムチャートであり、図２（ｂ）はスチーム発生装置４および微細装置６の駆動タイミングを説明するタイミングチャートである。
【００１５】
スチーム発生装置４により生成されたスチームは、直径約８［μｍ］程度の粒子となっているが、スチームの吐出口５から吐出される途中で微細装置６によって放電微細化されることにより、直径約２［μｍ］程度の粒子のスチーム７となることで白化し、視認性が高まる。
【００１６】
一方で、スチーム発生装置４により生成されるスチーム７の量は、図２（ａ）のスチーム量の時間的推移に示すように、通電開始時（時刻Ｔ１）および通電停止時（時刻Ｔ２）において、ボイラー槽３や水の熱容量のため、通電と連動した明確な吐出と停止を行うことは困難である。
【００１７】
とりわけ、通電停止時のボイラー槽３の余熱によってスチームが少量吐出される状況では、放電微細化をしていない場合では視認性が低下し、スチームの吐出が意識されず、使用者が不用意に吐出口５に身体を近づけることによって熱さを感じ、運転停止操作後もスチームが吐出されているという違和感をおぼえることが想定される。
【００１８】
そこで、本実施例のスチーマーでは、図２（ｂ）のタイミングチャートに示すように、スチーム発生装置４の通電を停止した（時刻Ｔ２）後も、所定時間（時刻Ｔ２から時刻Ｔ３まで）の間は、微細装置６によりスチームを微細化するよう駆動制御する。
【００１９】
このように、スチーム発生装置４を停止した後にボイラー槽３の余熱によってスチームが少量吐出された状態でも、スチームを微細装置６により放電微細化することで、スチームを白化して視認性を高めることができるので、使用者にスチームの吐出を意識させることができ、使用者が不用意に吐出口５に身体を近づけることを避けることができる。
【００２０】
以上説明したように、本実施例のスチーマーでは、スチームを発生するスチーム発生装置４と、スチーム発生装置４により発生したスチームを微細化する微細装置６と、スチーム発生装置４を停止した後も、所定の時間、微細装置６によりスチームを微細化するよう駆動制御する制御部８と、を備えた構成とし、制御部８により、スチーム発生装置４を停止した後も、所定時間の間は、微細装置６によりスチームを微細化するよう駆動制御するので、スチーム発生装置４の停止後にボイラー槽３の余熱により吐出された少量のスチームを微細化（白化）して可視化でき、使用者にスチーム７の吐出を意識付けることができることから、使用者が不用意に吐出口５に身体を近づけることを回避できる。
【００２１】
〔実施例２〕
次に、図３は本発明の実施例２に係るスチーマーの構成図である。同図において、本実施例のスチーマーは、装置本体１１に、スチーム発生装置１４に水を供給するタンク１９と、スチームを発生するスチーム発生装置１４と、スチーム発生装置１４により発生したスチームを微細化する微細装置１６と、当該スチーマーから微細化したスチーム１７を吐出する吐出口１５と、水と空気を混合してミスト２２を発生するミスト発生部２１と、スチーム発生装置１４、微細装置１６およびミスト発生部２１をそれぞれ制御信号４１，４２および４３により別々に制御する制御部１８と、を備えて構成されている。
【００２２】
スチーム発生装置１４は、ＰＴＣヒータ１２を備えたボイラー槽１３から成り、タンク１９から供給された水をＰＴＣヒータ１２により加熱してスチームを発生する。
【００２３】
また、微細装置１６は、スチーム発生装置１４の吐出口１５側に配置され、放電回路１６ａおよび放電電極１６ｂを備えて、スチーム発生装置１４により発生したスチームを微細化する。
【００２４】
さらに、ミスト発生部２１は、ポンプ２０を用いて、タンク１９からの水をベンチュリ効果によりミスト化してミスト２２を発生する。
【００２５】
次に、以上の構成を備えた本実施例のスチーマーの動作について、図４を参照して説明する。ここで、図４はスチーム発生装置１４、微細装置１６およびミスト発生部２１の駆動タイミングを説明するタイミングチャートである。
【００２６】
本実施例のスチーマーでは、図４のタイミングチャートに示すように、スチーム発生装置４の通電を停止した（時刻Ｔ１２）後も、所定時間（時刻Ｔ１２から時刻Ｔ１３まで）の間は、微細装置１６によりスチームを微細化させると共に、ミスト発生装置２１からミストを発生するよう駆動制御する。
【００２７】
このように、スチーム発生装置１４を停止した後にボイラー槽１３の余熱によってスチームが少量吐出された状態でも、スチームを微細装置１６により放電微細化することで、スチームを白化して視認性を高めることができるので、使用者にスチームの吐出を意識させることができ、使用者が不用意に吐出口に身体を近づけることを避けることができる。また、スチーム発生装置１４の停止後もミスト発生装置２１からミストを発生するので、少量吐出されるスチーム１７にミスト２２が混ってスチーム１７の温度を下げることができ、万が一使用者が不用意に吐出口１５に身体を近づけたとしても熱さを感じることを回避できる。
【００２８】
以上説明したように、本実施例のスチーマーでは、ミスト２２を発生するミスト発生装置２１を更に備え、制御部１８により、スチーム発生装置１４と、スチーム発生装置１４により発生したスチームを微細化する微細装置１６と、ミスト発生装置２１とを別々に制御することとし、スチーム発生装置１４を停止した後も、所定時間の間は、微細装置１６によりスチームを微細化させると共に、ミスト発生装置２１からミストを発生するよう駆動制御するので、スチーム発生装置１４の停止後にボイラー槽１３の余熱により吐出された少量のスチームを微細化（白化）して可視化でき、使用者にスチーム１７の吐出を意識付けることができることから、使用者が不用意に吐出口に身体を近づけることを回避できる。また、スチーム１７にミスト２２を混ぜることで吐出されるスチーム１７の温度が下がるので、万が一使用者が不用意に吐出口１５に身体を近づけたとしても熱さを感じることを回避できる。
【図面の簡単な説明】
【００２９】
【図１】本発明の実施例１に係るスチーマーの構成図である。
【図２】図２（ａ）は生成されるスチーム量の時間的推移を説明するタイムチャートであり、図２（ｂ）はスチーム発生装置４および微細装置６の駆動タイミングを説明するタイミングチャートである。
【図３】本発明の実施例２に係るスチーマーの構成図である。
【図４】スチーム発生装置１４、微細装置１６およびミスト発生部２１の駆動タイミングを説明するタイミングチャートである。
【符号の説明】
【００３０】
１，１１  装置本体
２，１２  ＰＴＣヒータ
３，１３  ボイラー槽
４，１４  スチーム発生装置
５，１５  吐出口
６，１６  微細装置
６ａ，１６ａ  放電回路
６ｂ，１６ｂ  放電電極
７，１７  スチーム
８，１８  制御部
９，１９  タンク
２０  ポンプ
２１  ミスト発生装置
２２  ミスト
【図１】
2008298340.tif 000003
【図２】
2008298340.tif 000004
【図３】
2008298340.tif 000005
【図４】
2008298340.tif 000006